(57)【特許請求の範囲】
【請求項１】
光源で光を照射して光記録媒体に対する情報のリード、ライト及び消去のうち少なくとも１つの処理を実行すると共に該光源の光出力をモニタして当該光源の光出力に補正をかける補正手段を備えた光記録媒体ドライブ装置に対し、前記光源の光出力を所定値に設定して、その設定値で前記光源を発光させる発光手段と、
この発光を検出する光量検出センサと、
この検出した光量と前記設定値との関係式を演算する関係式演算手段と、
この求めた関係式に関するデータを前記光記録媒体ドライブ装置に設定する第１の設定手段と、
前記発光手段による前記光源の発光及び前記光量検出センサによる検出、前記演算手段による演算、及び前記第１の設定手段による設定を順次実行させる実行手段と、
前記実行手段による処理の実行中に前記補正手段を停止する停止手段と、
を備えている光量調整装置。
【請求項２】
前記関係式演算手段は、前記関係式を２次以上の式として、又は、最小２乗の回帰を用いて算出するものである請求項１に記載の光量調整装置。
【請求項３】
光源で光を照射して光記録媒体に対する情報のリード、ライト及び消去のうち少なくとも１つの処理を実行すると共に該光源の光出力をモニタして当該光源の光出力に補正をかける補正手段を備えた光記録媒体ドライブ装置と、
請求項１又は２に記載の光量調整装置と、を備えている光記録システム。
【請求項４】
前記光照射による前記光記録媒体からの反射光を受光する受光素子と、
この受光素子の出力と一定の基準値とを比較する比較手段と、
この比較に応じて光記録媒体ドライブ装置の回路のオフセットを調整する調整手段とを備え、
前記実行手段は、この調整手段による調整終了後に前記発光手段による前記光源の発光及び前記光量検出センサによる検出、前記関係式演算手段による演算、及び前記第１の設定手段による設定を順次実行させるものである請求項３に記載の光記録システム。
【請求項５】
前記発光手段で設定する設定値が所定の異常値であるときに前記の発光を遮断又は抑制する安全保持手段を備えている請求項３又は４に記載の光記録システム。
【請求項６】
前記光量検出センサによる複数回の検出値からその検出した光量の振れ幅を演算する振れ幅演算手段と、
この振れ幅を所定値と比較する比較手段と、
前記振れ幅演算手段による前記検出値を新たなものに代えて行う演算と前記比較手段による比較とを、その比較結果で前記振れ幅が前記所定値を下回るまで所定回数繰り返す繰返し手段とを備え、
前記実行手段は、前記比較結果で前記振れ幅が前記所定値を下回ったときに前記発光手段による前記光源の発光及び前記光量検出センサによる検出、前記関係式演算手段による演算、及び前記第１の設定手段による設定を順次実行させるものである請求項３〜５のいずれかの一に記載の光記録システム。
【請求項７】
前記繰返し手段による繰返しが前記所定回数に達したときは異常の発生と判定する異常判定手段を備えている請求項６に記載の光記録システム。
【請求項８】
前記関係式演算手段は、前記光量検出センサで検出した光量の値に温度特性を補正するための所定値を加算して前記発光手段で設定した値との関係式を演算するものである請求項３〜５に記載の光記録システム。
【請求項９】
前記光量検出センサによる複数回の検出値からその検出した光量の振れ幅を演算する振れ幅演算手段を備え、
前記関係式演算手段は、前記振れ幅演算手段が演算した振れ幅に応じて温度特性を補正するための所定値を加算して前記発光手段で設定した値との関係式を演算するものである請求項３〜５に記載の光記録システム。
【発明の詳細な説明】
【０００１】
【発明の属する技術分野】
この発明は、光ディスクドライブ等の光源の光量を調整する光量調整装置及び光記録システムに関する。
【０００２】
【従来の技術】
従来、光ディスクドライブにおけるレーザパワーの調整は、初めに所定のレーザパワーを出力し、その出力されたパワーを読み取って所定の基準値と照合等を行ない、その結果、レーザパワーに不具合が生じていると判断された場合には、光ディスクドライブ内部の所定の基板を取り出して、駆動電流制御回路に直結する可変抵抗器の抵抗値を再設定することで行っていた。
【０００３】
また、光ディスクドライブから基板を取り出すことなく調整が行える手段として、予め決められたレーザパワーを発光する場合、レーザパワーの設定に関する情報を光ディスクドライブ内部のメモリに書き込んでおき、光源であるレーザダイオード（ＬＤ）を発光する際に、このメモリに書き込まれた情報を光ディスクドライブが読み出すことで、所望のレーザパワーの出力に調整する技術がある。
【０００４】
このような例として、特開平５−１８９７６５号公報に開示の技術がある。同公報に開示された光ディスクドライブのレーザパワー調整方式では、光ディスクの情報を再生する際に用いられるレーザパワーの値を表す再生パワー情報、情報を記録する際のレーザパワーの値を表す記録パワー情報、情報を消去する際のレーザパワーを表す消去パワー情報を、作業者がホストコンピュータから入力し、インターフェースを介して光ディスクドライブ装置に情報を伝達する。これに対し、光ディスクドライブでは、作業者により設定された情報に基づき電流制御信号を生成し、ＬＤを発光させる。そして、レーザの光量を外部に接続したパワーメータで測定し、所望の結果が得られなかった場合には、作業者はＬＤの出力の情報をホストコンピュータで再入力する。特開平５−１８９７６５号公報に開示の技術では、以上の処理を繰り返し、調整されたレーザパワー情報をメモリに書き込むことで、レーザパワーの調整を行なう。
【０００５】
【発明が解決しようとする課題】
しかしながら、前記従来の技術では依然作業効率が悪く、また、光ディスクに対する読み込み用、書き込み用、消去用の３種類のレーザパワーの設定を行っているが、ＣＤ−Ｒ／ＲＷ，ＤＶＤなどの多種多様の光ディスクに対して、読み込み用、書き込み用、消去用のレーザパワーは異なるため、各種光ディスクに対してレーザパワー情報を設定しなくてはならない不具合もある。
【０００６】
この発明の目的は、光源の出力レベルを適切に自動調整できるようにして、作業効率が高く、また、様々な光出力の設定を適切に行うことができるようにすることである。
【０００７】
この発明の目的は、更に的確に光源の出力レベルを設定できるようにすることである。
【０００８】
この発明の目的は、光源の光出力をモニタして当該光源の光出力に補正をかける場合でも、適切に光源の光出力を調整できるようにすることである。
【０００９】
この発明の目的は、様々な光記録媒体ドライブ装置に対して回路上のオフセットを除去した適切な光源の光出力の調整を行うことができるようにすることである。
【００１０】
この発明の目的は、光源の光出力の設定値の異常を検出して、光源の破壊を防止できるようにすることである。
【００１１】
この発明の目的は、光源の温度特性に対応した光出力調整を行うことである。
【００１２】
この発明の目的は、光源の光量の測定値における異常、外部温度の異常等を検出して、光源の温度特性にも対応した光源の光出力調整を行うことである。
【００１３】
この発明の目的は、光源の温度特性に対応しつつ、光源の光出力調整の調整工数を低減することである。
【００１４】
この発明の目的は、個々の装置における光源の温度特性にも対応した光源の光出力調整を行うことである。
【００１５】
【課題を解決するための手段】
請求項１に記載の発明は、光源で光を照射して光記録媒体に対する情報のリード、ライト及び消去のうち少なくとも１つの処理を実行すると共に該光源の光出力をモニタして当該光源の光出力に補正をかける補正手段を備えた光記録媒体ドライブ装置に対し、前記光源の光出力を所定値に設定して、その設定値で前記光源を発光させる発光手段と、この発光を検出する光量検出センサと、この検出した光量と前記設定値との関係式を演算する関係式演算手段と、この求めた関係式に関するデータを前記光記録媒体ドライブ装置に設定する第１の設定手段と、前記発光手段による前記光源の発光及び前記光量検出センサによる検出、前記演算手段による演算、及び前記第１の設定手段による設定を順次実行させる実行手段と、前記実行手段による処理の実行中に前記補正手段を停止する停止手段と、を備えている光量調整装置である。
【００１６】
したがって、光源の光量と光出力の設定値との関係を自動で求めて、光記録媒体ドライブ装置に当該関係式のデータを設定して、光源の出力レベルを適切に調整できるので、作業効率が高く、また、様々な光出力の設定を適切に行うことができる。又、光源の光出力をモニタして当該光源の光出力に補正をかける場合でも、適切に光源の光出力を調整することができる。
【００１７】
請求項２に記載の発明は、請求項１に記載の光量調整装置において、前記関係式演算手段は、前記関係式を２次以上の式として、又は、最小２乗の回帰を用いて算出するものである。
【００１８】
したがって、光源の特性を関係式で更に的確に表わすことができ、光源の出力レベルを適切に設定することができる。
【００１９】
請求項３に記載の発明は、光源で光を照射して光記録媒体に対する情報のリード、ライト及び消去のうち少なくとも１つの処理を実行すると共に該光源の光出力をモニタして当該光源の光出力に補正をかける補正手段を備えた光記録媒体ドライブ装置と、請求項１又は２に記載の光量調整装置と、を備えている光記録システムである。
【００２０】
したがって、請求項１又は２に記載の発明と同様の作用、効果を奏する。
【００２３】
請求項４に記載の発明は、請求項３に記載の光記録システムにおいて、前記光照射による前記光記録媒体からの反射光を受光する受光素子と、この受光素子の出力と一定の基準値とを比較する比較手段と、この比較に応じて光記録媒体ドライブ装置の回路のオフセットを調整する調整手段とを備え、前記実行手段は、この調整手段による調整終了後に前記発光手段による前記光源の発光及び前記光量検出センサによる検出、前記関係式演算手段による演算、及び前記第１の設定手段による設定を順次実行させるものである。
【００２４】
したがって、様々な光記録媒体ドライブ装置に対して回路上のオフセットを除去した適切な光源の光出力の調整を行うことができる。
【００２５】
請求項５に記載の発明は、請求項３又は４に記載の光記録システムにおいて、前記発光手段で設定する設定値が所定の異常値であるときに前記の発光を遮断又は抑制する安全保持手段を備えている。
【００２６】
したがって、光源の光出力の設定値の異常を検出して、発光を遮断又は抑制するので、光源の破壊を防止することができる。
【００２７】
請求項６に記載の発明は、請求項３〜５のいずれかの一に記載の光記録システムにおいて、前記光量検出センサによる複数回の検出値からその検出した光量の振れ幅を演算する振れ幅演算手段と、この振れ幅を所定値と比較する比較手段と、前記振れ幅演算手段による前記検出値を新たなものに代えて行う演算と前記比較手段による比較とを、その比較結果で前記振れ幅が前記所定値を下回るまで所定回数繰り返す繰返し手段とを備え、前記実行手段は、前記比較結果で前記振れ幅が前記所定値を下回ったときに前記発光手段による前記光源の発光及び前記光量検出センサによる検出、前記関係式演算手段による演算、及び前記第１の設定手段による設定を順次実行させるものである。
【００２８】
したがって、光源の温度特性に対応した光出力調整を行なうことができる。
【００２９】
請求項７に記載の発明は、請求項６に記載の光記録システムにおいて、前記繰返し手段による繰返しが前記所定回数に達したときは異常の発生と判定する異常判定手段を備えている。
【００３０】
したがって、光源の光量の測定値における異常、外部温度の異常等を検出でき、光源の温度特性にも対応した光源の光出力調整を行なうことができる。
【００３１】
請求項８に記載の発明は、請求項３〜５に記載の光記録システムにおいて、前記関係式演算手段は、前記光量検出センサで検出した光量の値に温度特性を補正するための所定値を加算して前記発光手段で設定した値との関係式を演算するものである。
【００３２】
したがって、光源の温度特性に対応しつつ、光源の光出力調整の調整工数を低減することができる。
【００３３】
請求項９に記載の発明は、請求項３〜５に記載の光記録システムにおいて、前記光量検出センサによる複数回の検出値からその検出した光量の振れ幅を演算する振れ幅演算手段を備え、前記関係式演算手段は、前記振れ幅演算手段が演算した振れ幅に応じて温度特性を補正するための所定値を加算して前記発光手段で設定した値との関係式を演算するものである。
【００３４】
したがって、個々の装置における光源の温度特性にも対応した光源の光出力調整を行なうことができる。
【００３５】
【発明の実施の形態】
［発明の実施の形態１］
この発明の一実施の形態を発明の実施の形態１として説明する。
【００３６】
図１は、この発明の一実施の形態である光記録システムの構成を示すブロック図である。図１に示すように、符号１００は、光記録媒体ドライブ装置である光ディスクドライブである。この光ディスクドライブ１００は、光記録媒体であるＣＤ，ＤＶＤ等の光ディスクに光を照射して情報の、リード、ライト、消去を行う装置であり、この光ディスクに照射する光であるレーザを発する光源であるＬＤ１０１、ＬＤ１０１の通電電流値を制御して光量をコントロールしながらＬＤ１０１を点灯駆動する光量制御回路１０２、ＬＤ１０１のレーザパワーとＬＤ１０１の光出力の設定値であるリファレンス値との関係式（後述する）を演算で求める等、各種演算、制御を行うＣＰＵ１０３、ＣＰＵ１０３の作業エリア等として機能するメモリ１０４、及び、外部との通信を行うためのＩ／Ｏ１０５を備えている。
【００３７】
符号２００は、光ディスクドライブ装置１００に対して、ＬＤ１０１のレーザパワーの調整を行う光出力調整装置であるレーザパワー調整装置である。このレーザパワー調整装置２００は、ＬＤ１０１が出力するレーザを受光し、そのレーザパワーを測定する光量検出センサであるパワーメータ２０１、及び、光ディスクドライブ装置１００のホストコンピュータとなるパーソナルコンピュータ３００からなる。
【００３８】
パーソナルコンピュータ３００は、ＣＰＵ３０２の作業エリア等となるメモリ３０１、各種演算、制御を行うＣＰＵ３０２、光ディスクドライブ装置１００とパーソナルコンピュータ３００とを接続するＩ／Ｏ３０３、ＣＲＴ，ＬＣＤなどのモニタ３０４、及び、パワーメータ２０１とパーソナルコンピュータ３００とを接続するＩ／Ｏ３０５を備えている。なお、図示しないが、下記の処理を実行するための各種プログラムや固定データを記憶したハードディスクも所定のＩ／Ｏを介してバス接続されている。
【００３９】
次に、図１の装置の動作について説明する。
【００４０】
最初に、光ディスクに光ディスクドライブ１００で情報のリードを行う際のレーザパワー出力レベルの調整について説明する。図２は、かかる調整を行う場合にレーザパワー調整装置２００が前記プログラムに基づいて実行する処理について説明するフローチャートである。この処理で実行手段を実現している。
【００４１】
図２に示すように、まず、ＣＰＵ３０２は、ＬＤ１０１のレーザパワー出力レベルを０．７ｍＷで発光させるための初期設定を光ディスクドライブ１００に行わせた（ステップＳ１）後、ＬＤ１０１を発光させる（ステップＳ２）。初期設定では、例えば、リードパワーの目標値として設定するリファレンス値やＬＤ１０１のゲイン（ＬＤゲイン）の設定を行う。そして、パワーメータ２０１によりＬＤ１０１のレーザパワーの値を測定して、それをメモリ３０１に記憶し（ステップＳ３）、ＣＰＵ３０２は、この記憶されたレーザパワーと基準となる０．７ｍＷとのずれ量を計算し（ステップＳ４）、このずれ量と基準値との比較により、ずれ量が予め設定された規格内に収まっているか否かの判断を行う（ステップＳ５）。そして、ずれ量が基準値から外れている場合は、ＬＤゲインの再設定を光ディスクドライブ１００に行なわせて（ステップＳ６）、ステップＳ２以下の動作を繰り返す。
【００４２】
ＬＤゲインの再設定では、ＬＤゲイン１ＬＳＢにおける調整感度を、直前の２回の測定から換算して求めた値を利用し、ＬＤ１０１のレーザパワーを０．７ｍＷとなるように調整を行う。
【００４３】
すなわち、
LDgain[1]  ：初期設定時のＬＤゲイン
LDgain[N]  ：Ｎ回目のＬＤゲイン
Pr[N]      ：Ｎ回目のレーザパワー測定値
Delta_Pr[1]：初期設定時のＬＤゲインに対するパワー感度
Delta_Pr[N]：Ｎ回目のＬＤゲインに対するパワー感度
とすると、再設定するＬＤゲイン値は、
１回目：Ｎ＝１
LDgain[2]  ＝  LDgain[1]  ＋  （0.7mW  −  （レーザパワー測定値））
／Delta_Pr[1]                                           …  （１）
２回目以降：Ｎ＞１
LDgain[N+1]  ＝  LDgain[N]  ＋  （0.7mW  −  Pr[N]）／Delta_Pr[N]…  （２）
Delta_Pr[N]  ＝  （Pr[N]  −  Pr[N-1]）
／（LDgain[N]  −  LDgain[N-1]）                        …  （３）
である。
【００４４】
次に、レーザパワー出力レベルが１．０ｍＷとなるように、リファレンス値の設定を光ディスクドライブ装置１００に行わせて（ステップＳ７）、そのリファレンス値でＬＤ１０１を発光させ（ステップＳ８）、パワーメータ２０１でレーザパワーを測定する（ステップＳ９）。測定したレーザパワーの値はメモリ３０１に記憶され、ＣＰＵ３０２は、この記憶されたレーザパワーと基準となる１．０ｍＷとのずれ量を計算し（ステップＳ１０）、そのずれ量が予め設定された規格内に収まっているか否かの判断を行う（ステップＳ１１）。ステップＳ１，Ｓ２，Ｓ７，Ｓ８により発光手段を実現している。１．０ｍＷと測定値のずれ量が規格の範囲以上又は以下であれば（ステップＳ１１のＮ）、ＬＤゲインを加算又は減算し（ステップＳ１２〜Ｓ１４）、レーザパワーの出力レベル０．７ｍＷの初期設定を光ディスクドライブ装置１００に行わせて（ステップＳ１５）、ステップＳ２に以下の動作により、レーザパワーの調整を行う。
【００４５】
ずれ量が規格内であれば（ステップＳ１１のＹ）、レーザパワーの出力レベルが０．７ｍＷと１．０ｍＷのときのレーザパワー測定値（ステップＳ３，Ｓ９参照）から、レーザパワーとリファレンス値との関係式を下記のように導き出し（ステップＳ１６）、その関係式の１次の係数、切片のデータを光ディスクドライブ１００に送信して、メモリ１０４に記録させる（ステップＳ１７）。ステップＳ１６により関係式演算手段を、ステップＳ１７により第１の設定手段を実現している。
【００４６】
レーザパワーとリファレンス値との関係式は、
Pr   ：リード用のレーザパワー測定値
Pr_A ：１次の係数
Pr_B ：切片
PRref：リード用のリファレンス値
とすると、
Pr = Pr_A× PRref + Pr_B                              …  （４）
となる。
【００４７】
これにより、光ディスクドライブ１００は、任意のリード用のレーザパワーを出力する場合、メモリ１０４に記録された１次の係数、切片を用いて、（４）式を根拠とする演算を行ってリファレンス値を求め、そのリファレンス値にしたがって光量制御回路１０２がＬＤ１０１の光量を制御することで、ＬＤ１０１から所望のレーザパワーを出力することができる。
【００４８】
次に、光ディスクに光ディスクドライブ１００で情報のライトを行う際のレーザパワー出力レベルの調整について説明する。図３は、かかる調整を行う場合にレーザパワー調整装置２００が前記プログラムに基づいて実行する処理について説明するフローチャートである。かかる処理により実行手段を実現している。
【００４９】
図３に示すように、まず、所定のカウント値ｎを初期値１に設定して（ｎ＝１）（ステップＳ２０）、レーザパワー出力レベルを１０ｍＷでＬＤ１０１を発光させるための初期設定を光ディスクドライブ１００に行わせてから（ステップＳ２１）、ＬＤ１０１を発光させ（ステップＳ２２）、パワーメータ２０１でＬＤ１０１のレーザパワーを測定する（ステップＳ２３）。ステップＳ２１，Ｓ２２により発光手段を実現している。
【００５０】
そして、カウント値ｎが４になるまで（ステップＳ２９のＮ）、カウント値ｎを＋１だけインクリメントして（ステップＳ２８）、ステップＳ２１以下の処理を繰り返して、レーザパワー出力レベルが２０ｍＷ、３０ｍＷのときのＬＤ１０１のレーザパワーを測定する。
【００５１】
そして、この測定した各レーザパワー出力レベルと所定の基準値とのずれ量を算出し（ステップＳ２４）、各レーザパワー出力レベルのうち、すくなくともひとつが予め設定されている規格外にある場合は（ステップＳ２５のＮ）、前記したリード用のレーザパワーの調整と同様に、ライト用のレーザパワーとリファレンス値の関係式を下記のように導き（ステップＳ２６）、その関係式の係数（この例では１次）、切片のデータを光ディスクドライブ１００に送信して、メモリ１０４に記憶させる（ステップＳ２７）。ステップＳ２６により関係式演算手段を実現し、ステップＳ７により第１の設定手段を実現している。
【００５２】
レーザパワーとリファレンス値との関係式は、
Pw   ：ライト用のレーザパワー測定値
Pw_A ：１次の係数
Pw_B ：切片
PWref：ライト用のリファレンス値
とすると、
P w= Pw_A× PWref + Pw_B                              …  （５）
となる。
【００５３】
この後、ＣＤ−Ｒのライト用のレーザパワーである３３ｍＷでＬＤ１０１を発光させ（ステップＳ３０，Ｓ３１）、パワーメータ２０１でレーザパワーを測定する（ステップＳ３２）。そして、レーザパワーが所望の基準値のレベルからどれだけずれているかを確認し（ステップＳ３３）、そのずれ量が予め設定された規格外であれば（ステップＳ３４のＮ）、レーザパワー調整ができない旨のメッセージをモニタ３０４に表示して（ステップＳ３５）、レーザパワー調整を終了する。
【００５４】
なお、（４）（５）式に代えて、以下に例示する（６）（７）式のような高次の関係式を用いてもよい。
【００５５】
例えば、リード用のレーザパワーとリファレンス値の関係式は、
Pr   ：リード用のレーザパワー測定値
Pr_A ：２次の係数
Pr_B ：１次の係数
Pr_C ：切片
PRref：リード用のリファレンス値
とすると、
Pr = Pr_A ×PRref 2 + Pr_B ×PRref + Pr_C                …  （６）
となる。
【００５６】
ライト用のレーザパワーとリファレンス値の関係式についても、
Pw   ：ライト用のレーザパワー測定値
Pw_A ：２次の係数
Pw_B ：１次の係数
Pw_C ：切片
PWref：ライト用のリファレンス値
とすると、
Pw = Pw_A ×PWref 2 + Pw_B ×PWref + Pw_C              …  （７）
となる。
【００５７】
この例ではレーザパワーとリファレンス値との関係に２次式を用いて近似しているが、３次以上の方程式を用いることも考えられる。
【００５８】
さらに、（４）〜（７）式に代えて、レーザパワーとリファレンス値の関係を最小２乗の回帰を用いて表わした関係式を用いてもよい。
【００５９】
すなわち、レーザパワーとリファレンス値に線形関係があるならば、レーザパワーとリファレンス値の関係を最小２乗直線にて回帰させることができる。
【００６０】
例えば、求める最小２乗回帰直線を、
y = a + bx                                            …  （８）
とする。
【００６１】
すると、設定したリファレンス値に対する最小２乗回帰直線上のy値とリファレンス値に対応するレーザパワーとの偏差d（距離）は、
d1 = a + bx1 - y1 , d2 = a + bx2 - y2 , … , dn = a + bxn - yn…  （９）
ここで、
x1〜xn ：設定したリファレンス値
y1〜yn ：リファレンス値に対応するレーザパワー
となり、偏差の２乗和は、
Σd2 = Σ(a + bx - y)2                                …  (１０)
となる。
【００６２】
そして、この値が最も小さくなることが求める最小２乗直線の条件となる。そこで、上式をa,bの関数とすると、
F(a,b) =Σ(a + bx - y)2                              …  (１１)
となる。
【００６３】
最小となる条件は、F(a,b)をa及びbに対して偏微分を行い、
∂F/∂a = 0                                          …  （１２）
∂F/∂b = 0                                          …  （１３）
となることである。
【００６４】
そこで、
∂F/∂a = Σ(∂/∂a)(a + bx - y)2 = Σ2(a + bx - y)  …  （１４）
∂F/∂b = Σ(∂/∂b)(a + bx - y)2 = Σ2x(a + bx - y)  …  （１５）
すなわち、
Σ(a + bx - y) = 0                ∴Σy = an + bΣx  …  （１６）
Σx(a + bx - y) = 0    ∴Σxy = aΣx + bΣx2          …  （１７）
となればよい。
【００６５】
前記（１６）（１７）式は最小２乗直線の正規方程式と呼ばれる。
【００６６】
正規方程式から、a,bは、
a = {(Σy)(Σx2) - (Σx)(Σxy)} / {nΣx2 - (Σx)2}    …  （１８）
b = { nΣxy - (Σx) (Σy)} / {nΣx2 - (Σx)2}        …  （１９）
となる。
【００６７】
求めたa,bを（８）式に当てはめることで、測定したレーザパワーとリファレンス値の最小２乗回帰直線を求めることができる。
【００６８】
レーザパワーとリファレンス値を２次式で近似すると、求める方程式は、
y = ax + bx + cx2                                    …  （２０）
となり、正規方程式は、
Σy = an + bΣx + cΣx2                              …  （２１）
Σxy = aΣx + bΣx2 + cΣx3                          …  （２２）
Σx2y = aΣx2 + bΣx3 + cΣx4                          …  （２３）
となる。
【００６９】
上記正規方程式（２１）〜（２３）からa,b,cを求め、式(２０)に当てはめることで、最小２乗回帰曲線を表わすことができる。なお、３次式以上であっても、同様に演算することで最小２乗を用いた近似曲線を表わすことができる。
【００７０】
以上のようなリード用、ライト用のレーザパワーの調整においては、リード用レーザパワー調整時に、レーザパワー出力レベルを２点（ステップＳ３，Ｓ９）、ライト用レーザパワー調整時に、レーザパワー出力レベルを３点（ステップＳ２３）としているが、より多くのサンプル点を用いてもよい。
【００７１】
また、ＬＤ１０１の出力値の設定（ステップＳ１，Ｓ７，Ｓ２１，Ｓ３３）は、レーザパワーとリファレンス値の相関を確認できるような任意の値でよいし、リード用とライト用のレーザパワーの違いから、ＬＤ１０１の特性を考慮し、リード用とライト用で別々の処理によりレーザパワーの調整を行っているが、ＬＤ１０１の特性をレーザパワーとリファレンス値の関係式で近似できるのならば、同じ処理により調整を行うようにしてもよい。
【００７２】
さらに、レーザパワー調整の最後に、確認としてＣＤ−Ｒのライト用レーザパワーで確認を行っているが（ステップＳ３０以下）、ＣＤ−Ｒのライト用レーザパワー以外の任意大きさのレーザパワー出力レベルを設定して、レーザパワーとリファレンス値の関係式（５）について確認（ステップＳ３０以下）を行ってもよい。なお、関係式（５）が十分に満足できると想定できる場合は、かかる確認の処理を行なわなくてもよい。
【００７３】
［発明の実施の形態２］
この発明の別の実施の形態を発明の実施の形態２として説明する。
【００７４】
以下の説明において、発明の実施の形態１と共通する回路要素等については、発明の実施の形態１と同一符号を用いて、詳細な説明を省略する。
【００７５】
図４は、発明の実施の形態２である光記録システムの構成を示すブロック図である。この光記録システムが発明の実施の形態１と相違する点は、光ディスクドライブ１００に、ＬＤ１０１の出力補正のためにそのレーザパワーをモニタして監視するＦＳＰＤ（Front Side Photo Detector）１０６、このＦＳＰＤ１０６のアナログ出力値をＡ／Ｄ変換するＡ／Ｄコンバータ１１７、そのＡ／Ｄコンバータ１１７をバス接続するＩ／Ｏ１１８、及び、ＦＳＰＤ１０６が出力する電流値により光量制御回路１０２に与えるリファレンス値に補正をかける出力補正回路１０７が設けられ、レーザパワー調整装置２００で動作するプログラムが異なり、このプログラムにより以下の処理が実行されることである。かかる処理により実行手段を実現している。
【００７６】
すなわち、ライト用のレーザパワーは、ライト品質との兼ね合いにより非常に短時間のパワーパルス変化が要求される。そのため、逐次のレーザパワーを監視してパワー設定を行わないと正しい情報のライトができない。
【００７７】
そこで、従来、光ディスクドライブ１００では、レーザパワーを監視するため、前方フォトディテクタと呼ぶフォトディテクタ（前記のＦＳＰＤ１０６）を光ディスクドライブ１００のＬＤ１０１の前方に設置している。このＦＳＰＤ１０６でＬＤ１０１のレーザパワーを監視し、光ディスクドライブ１００に対してフィードバックをかけて、光ディスクに照射するレーザパワーを所望の値へと合わせ込んでいる。これにより補正手段を実現している。
【００７８】
しかしながら、このようなＦＳＰＤ１０６を用いた処理を行うと、実施の形態１で説明したようなレーザパワー調整を行う場合に、予め設定されたＦＳＰＤ１０６の出力に基づくＬＤ１０１のリファレンス値に対する補正値によりレーザパワーに対してフィードバック補正をかけてしまうと、補正値が適切な値でないため、レーザパワーを調整することができないという不具合が生じてしまう。
【００７９】
そこで、この実施の形態２では、前記プログラムに基づいて以下のような処理を行う。かかる処理を図５のフローチャートを参照して説明する。すなわち、情報のライト用のレーザパワー調整において、まず、メモリ１０４の所定エリアにＦＳＰＤ無効化フラグを立て、ＦＳＰＤ１０６による出力補正が実施されないようにする（ステップＳ４０）。その後、ステップＳ４１〜Ｓ５０の処理を行うが、かかる処理は前記したステップＳ２１〜Ｓ２９と同様であり、詳細な説明は省略する。ステップＳ４２，Ｓ４３により発光手段を実現し、ステップＳ４９により関係式演算手段を実現し、ステップＳ５０により第１の設定手段を実現している。
【００８０】
次に、以上のようにして求めたレーザパワーを調整するためのデータからＦＳＰＤ１０６の値を光ディスクドライブ１００に設定させて（ステップＳ５１）、ＦＳＰＤ無効化フラグを解除し（ステップＳ５２）、ＦＳＰＤ１０６の出力値に基づくＬＤ１０１の出力補正をＯＮにする。これにより、光ディスクドライブ１００は、ＦＳＰＤ１０６の出力値に基づくＬＤ１０１の出力補正が可能となる。ステップＳ４０，Ｓ５２により停止手段を実現している。
【００８１】
その後、ステップＳ５３〜Ｓ５８の処理を行うが、かかる処理は前記ステップＳ３０〜Ｓ３５と同様である。
【００８２】
このように、ＦＳＰＤ１０１の出力に基づくＬＤ１０１のレーザパワーの補正値が予め設定してあったとしても、ＦＳＰＤ無効化フラグにより、ＦＳＰＤ１０１の出力によるＬＤ１０１のリファレンス値の補正を禁止した状態で、レーザパワーを調整することができる。そして、その後にＦＳＰＤ無効化フラグを解除することで、ＦＳＰＤ１０１を用いたＬＤ１０１のリファレンス値の補正は可能となるので、適切にライト用のレーザパワーの調整を行うことができる。
【００８３】
［発明の実施の形態３］
この発明の別の実施の形態を発明の実施の形態３として説明する。
【００８４】
以下の説明において、発明の実施の形態２と共通する回路要素等については、発明の実施の形態２と同一符号を用いて、詳細な説明を省略する。
【００８５】
図６は、発明の実施の形態３である光記録システムの構成を示すブロック図である。この光記録システムが発明の実施の形態２と相違する点は、ＬＤ１０１から光ディスクに照射されたレーザの反射光を受光する受光素子であるフォトディテクタ（ＰＤ）１０８、この受光信号の増幅と回路上のオフセットを除去するための加算増幅器１０９、加算増幅器１０９からの出力をＡ／Ｄ変換するＡ／Ｄコンバータ１１０、Ａ／Ｄコンバータ１１０をバス接続するＩ／Ｏ１１１、基準電圧など一定電圧を出力する基準電圧設定回路１１２、デジタル値を基準電圧設定回路１１２に与えるアナログ値に変換するＤ／Ａコンバータ１１３、Ｄ／Ａコンバータ１１３をバス接続するＩ／Ｏ１１４、ＰＤ１０８の出力を図示しない電流／電圧変換回路で変換した電圧と、基準電圧設定回路１１２からの電圧とを択一的にセレクトするセレクタ回路１１５、及び、セレクタ回路１１５をバス接続するＩ／Ｏ１１６が設けられ、レーザパワー調整装置２００で動作するプログラムが異なり、このプログラムにより以下の処理が実行されることである。
【００８６】
すなわち、ＣＰＵ１０３の指示により、光ディスクドライブ１００では、セレクタ回路１１５により加算増幅器１０９に与える入力電圧を切り替えることができる。そして、図７のフローチャートに示すように、まず、ＣＰＵ３０２の指示により、光ディスクドライブ１００では、セレクタ回路１１５により基準電圧設定回路１１２をセレクトし（ステップＳ６０）、基準電圧設定回路１１２が出力する、所定の基準電圧を加算増幅器１０９に出力する。そして、加算増幅器１０９が基準電圧を増幅して出力する出力値（Ａ）を光ディスクドライブ１００から受信して、それをメモリ３０１に記憶する（ステップＳ６１）。
【００８７】
次に、ＣＰＵ３０２の指示により、光ディスクドライブ１００では、セレクタ回路１１５で、加算増幅器１０９に与える電圧をＰＤ１０８の出力に切り替える（ステップＳ６２）。また、メモリ１０４に設定した回路のオフセット分をＰＤ１０８に対して調整するためのオフセットキャンセル設定値の初期値を加算増幅器１０９に入力し、加算増幅器１０９が増幅して出力する出力値（Ｂ）を光ディスクドライブ１００から受信して、それをメモリ３０１に記憶する（ステップＳ６３）。
【００８８】
そして、ＣＰＵ３０２は、“｜Ｂ−Ａ｜”の値が所定範囲内であるか判定をする（ステップＳ６４）。ステップＳ６４により比較手段を実現している。所定範囲内であれば（ステップＳ６４のＹ）、回路上のオフセットは除去されたので、レーザパワーの調整に移行する（ステップＳ７３，７４）。かかる処理の詳細については、図２、図３、図５を参照して説明したとおりである。
【００８９】
所定範囲外である場合は（ステップＳ６４のＮ）、オフセットキャンセル設定値の調整回数をチェックし（ステップＳ６５）、指定数Ｘを越す場合は（ステップＳ６５のＹ）、モニタ３０４に調整異常の旨を表示して（ステップＳ６６）、オフセット調整処理を終了する。指定数Ｘを超えていない場合は（ステップＳ６５のＮ）、“Ｂ−Ａ”の値の正負を判断し（ステップＳ６７）、正であれば（ステップＳ６７のＮ）、キャンセル値“−１”を生成し（ステップＳ６８）、負である場合は（ステップＳ６７のＹ）、キャンセル値“＋１”を生成する（ステップＳ６９）。そして、生成したキャンセル値は光ディスクドライブ１００に送出する（ステップＳ７０）。
【００９０】
次に、光ディスクドライブ１００に対して、パーソナルコンピュータ３００から受け取ったキャンセル値を、メモリ１０４に記憶しているオフセットキャンセル設定値に加算させて、オフセットキャンセル設定値を調整し、その調整後のオフセットキャンセル設定値をメモリ１０４に記憶する（ステップＳ７１）。そして、そのオフセットキャンセル設定値をメモリ１０４から読み出し、加算増幅器１０９に送出させる（ステップＳ７２）。その後、メモリ１０４に記憶しているオフセットキャンセル設定値に基づいて回路上のオフセットをキャンセルするように調整させて（ステップＳ７５）、ＬＤ１０１のステップＳ６３以下の処理を繰り返す。ステップＳ６７〜Ｓ７５により調整手段を実現している。
【００９１】
なお、この例では、オフセットの測定について基準電圧設定回路１１２を用いて調整をおこなっているが、オフセットが無いテスト用の光ディスクドライブを使用して求めた出力値（Ａ）を用いてもよい。
【００９２】
また、図８に示すように、リミッタ回路１１９を光ディスクドライブ１００に用いてもよい。
【００９３】
すなわち、ＦＳＰＤ１０６の設定値や、ＰＤ１０８からの受光レベルに異常が生じた場合、ＦＳＰＤ１０６やＰＤ１０８からの異常情報に基づいて、光量制御回路１０２はＬＤ１０１に対して過電流を流し、ＬＤ１０１を破壊してしまう恐れがある。
【００９４】
そこで、光ディスクドライブ１００上に安全保持手段を実現するリミッタ回路１１９を設置し、レーザパワー出力を設定するリファレンス値の異常を感知して、その異常値をシャットダウンする。
【００９５】
この例では、光量制御回路１０２の前段にリミッタ回路１１９を設置している。他の手段としては、ＰＤ１０８やＦＳＰＤ１０６、セレクタ１１５等の後段で電圧値を監視し、あるいは、ＬＤ１０１の前段で流れ込む電流値を監視すること等も考えられる。
【００９６】
［発明の実施の形態４］
この発明の別の実施の形態を発明の実施の形態４として説明する。
【００９７】
以下の説明において、発明の実施の形態３と共通する回路要素等については、発明の実施の形態３と同一符号を用いて、詳細な説明を省略する。この光記録システムの回路構成は図８に示す発明の実施の形態３と同様であり、発明の実施の形態３と相違する点は、レーザパワー調整装置２００で動作するプログラムが異なり、このプログラムにより以下の処理が実行されることである。
【００９８】
つまり、前記のレーザパワー調整は、所望のレーザパワーを出力しようとしてもＬＤ１０１の温度特性により時間と共にレーザパワーが変化してしまうため、その点で適切に調整することができない場合がある。そこで、この実施の形態では、温度特性の収束を確認することで、ＬＤ１０１の温度特性をも考慮したレーザパワー調整を実現している。
【００９９】
すなわち、図９に示すように、まず、レーザパワー出力レベルを、例えば、０．７ｍＷで発光させるための初期設定を行った（ステップＳ８０）後、ＬＤ１０１を発光させる（ステップＳ８１）。初期設定では実施の形態１と同様に、例えば、リードパワーのリファレンス値やＬＤゲインの設定を行う。そして、出力されたレーザパワーをパワーメータ２０１で測定し（ステップＳ８２）、メモリ３０１に記憶する（ステップＳ８３）。このときのレーザパワーを、L_Pow_Firstとする。次にウェイト時間、例えば１秒をとり（ステップＳ８４）、レーザパワーを測定し（ステップＳ８５）、メモリ３０１に記憶する（ステップＳ８６）。このときのレーザパワーをL_Pow_Secondとする。そして、L_Pow_FirstとL_Pow_Secondの差分値Pow_Diffを、
Pow_Diff = L_Pow_First - L_Pow_Second              …  （２４）
のように算出する（ステップＳ８７）。ステップＳ８７により振れ幅演算手段を実現している。
【０１００】
次に、Pow_Diffが予め設定していたＬＤ１０１の温度特性が安定したと判断できる差分値Powと比較する（ステップＳ８８）。ステップＳ８８により比較手段を実現している。そして、Pow_DiffがPowよりも大きい場合は（ステップＳ８８のＮ）、L_Pow_Firstとして前回のL_Pow_Secondの値を入れ（ステップＳ８９）、ステップＳ８４以下の処理を繰り返す。ステップＳ８４へのループにより繰返し手段を実現している。Pow_DiffがPowよりも小さくなったときは（ステップＳ８８のＹ）、光ディスクドライブ１００に対してリード及びライト用のレーザパワー調整へと移行させる（ステップＳ９０，Ｓ９１）。かかる処理の詳細は、図２、図３、図５などの処理と同様である。
【０１０１】
以上の処理を行うことにより、ＬＤ１０１の温度特性を収束させ、適切なレーザパワー調整を実施することができる。
【０１０２】
［発明の実施の形態５］
この発明の別の実施の形態を発明の実施の形態５として説明する。
【０１０３】
以下の説明において、発明の実施の形態４と共通する回路要素等については、発明の実施の形態４と同一符号を用いて、詳細な説明を省略する。この光記録システムの回路構成は実施の形態４と同様であり、発明の実施の形態４と相違する点は、レーザパワー調整装置２００で動作するプログラムが異なり、このプログラムにより以下の処理が実行されることである。
【０１０４】
すなわち、ＬＤ１０１のレーザパワー調整では、パワーメータ２０１の異常や、外部温度の継続的な変化等が発生した場合、ＬＤ１０１の温度特性を収束することができず、調整工数の増大を招き、あるいは、前記のパワーメータ２０１の異常を判断することができないまま、レーザパワーの調整を行ってしまうという不具合がある。
【０１０５】
そこで、この実施の形態では、実施の形態４における温度特性を収束させたレーザパワー調整において、前記のような異常時の判断を行うことができる光記録システムを実現しようとするものである。
【０１０６】
すなわち、図１０に示すように、まず、ステップＳ１０１〜Ｓ１０９の処理を行うが、かかる処理は実施の形態４におけるステップＳ８０〜Ｓ１１０と同様であり、また、ステップＳ１１３〜Ｓ１１５の処理も実施の形態４におけるステップＳ８９〜Ｓ９１と同様であり、詳細な説明は省略する。ステップＳ１０８により振れ幅検出手段を、ステップＳ１０９により比較手段を、ステップＳ１０５へのループにより繰返し手段を実現している。
【０１０７】
この発明の別の実施の形態を発明の実施の形態４として説明する。
【０１０８】
以下の説明において、発明の実施の形態３と共通する回路要素等については、発明の実施の形態３と同一符号を用いて、詳細な説明を省略する。この光記録システムの回路構成は図８に示す発明の実施の形態３と同様であり、発明の実施の形態３と相違する点は、レーザパワー調整装置２００で動作するプログラムが異なり、このプログラムにより以下の処理が実行されることである。
【０１０９】
そして、Pow_DiffがPowよりも大きい場合は（ステップＳ１０９のＮ）、レーザパワー測定リトライカウント数ｎ（予め初期値を０にリセットしておく）を、その上限DEFOULT_Nと比較し（ステップＳ１１０）、
n > DEFOULT_N                                        …  （２５）
となる場合は（ステップＳ１１０のＹ）、モニタ３０４に繰り返し数のエラー表示を行い（ステップＳ１１４）、レーザパワー調整を終了する。ステップＳ１１０により異常判定手段を実現している。
【０１１０】
（２５）式を満たさない場合は（ステップＳ１１０のＮ）、レーザパワー測定リトライカウント数ｎを＋１だけインクリメントして（ステップＳ１１１）、L_Pow_FirstとL_Pow_Secondの値を入れ替え（ステップＳ１１３）、ステップＳ１０６以下の処理に戻る。
【０１１１】
以上のような処理を行なうことにより、ＬＤ１０１の温度特性に対応し、前記のような異常の発生の検出を行なうことができる（ステップＳ１１２）。
【０１１２】
［発明の実施の形態６］
この発明の別の実施の形態を発明の実施の形態６として説明する。
【０１１３】
以下の説明において、発明の実施の形態４，５と共通する回路要素等については、発明の実施の形態４，５と同一符号を用いて、詳細な説明を省略する。この光記録システムの回路構成は実施の形態４，５と同様であり、発明の実施の形態４，５と相違する点は、レーザパワー調整装置２００で動作するプログラムが異なり、このプログラムにより以下の処理が実行されることである。
【０１１４】
すなわち、実施の形態４，５の処理では、ＬＤ１０１の温度特性が安定するまでレーザパワーの測定を繰り返さなくてはならないので、調整工数が増大してしまう不具合もある。
【０１１５】
そこで、この実施の形態では、前記した図９、図１０の処理を行うに際し、ステップＳ９０，Ｓ１１４の各処理に代えて、以下の処理を行うものである。図１１は、かかる処理を示すフローチャートである。図１１に示すように、ステップＳ１２０〜１２２，Ｓ１２４〜Ｓ１２９，Ｓ１３１〜Ｓ１３８は、図２に示すステップＳ１〜Ｓ１７の処理と同様であり、詳細な説明は省略する。
【０１１６】
図１１の処理では、パワーメータ２０１により測定した（ステップＳ１２２，Ｓ１２９）レーザパワーの値に、温度特性を補正するための所定の値である温度特性補正レーザパワーシフト量を加算して（ステップＳ１２３，Ｓ１３０）、その加算後の値をレーザパワーの測定値として扱うものである。ステップＳ１２３，Ｓ１３０により値調整手段、ステップＳ１３７により関係式演算手段を実現している。
【０１１７】
これにより、ＬＤ１０１の温度特性が安定するまでレーザパワーの測定を繰り返す（ステップＳ８４，Ｓ１０５に戻るループ）必要がないので、調整工数を減少させることができる。
【０１１８】
なお、ライト用のレーザパワーの調整（図３参照）においても同様に、レーザパワーを測定した後、温度特性補正レーザパワーシフト量を加算することで、ＬＤ１０１の温度特性に対応することができる。また、本例では、レーザパワー測定値にシフト量を加算したが、リファレンス値を加算することもできる。
【０１１９】
［発明の実施の形態７］
この発明の別の実施の形態を発明の実施の形態７として説明する。
【０１２０】
以下の説明において、発明の実施の形態４，５と共通する回路要素等については、発明の実施の形態４，５と同一符号を用いて、詳細な説明を省略する。この光記録システムの回路構成は実施の形態４，５と同様であり、発明の実施の形態４，５と相違する点は、レーザパワー調整装置２００で動作するプログラムが異なり、このプログラムにより以下の処理が実行されることである。
【０１２１】
すなわち、実施の形態６では、レーザパワーの測定値を補正するシフト量が一定値であるため、個々のＬＤ１０１の温度特性によっては補正できない場合もあり、あらゆる被調整機に対して適切にレーザパワーの調整を行うことができるとはいえない。
【０１２２】
そこで、この実施の形態では図１２に示す処理によりＬＤ１０１のレーザパワーの調整を行うものである。図１２に示すように、ステップＳ１４０〜Ｓ１４７については、実施の形態６の図１０の処理におけるステップＳ１０１〜Ｓ１０８と同様であり、ステップＳ１４９，Ｓ１５０はステップＳ１１４，Ｓ１１５と同様であるため、詳細な説明は省略する。
【０１２３】
この処理では、ステップＳ１４７で算出したPow_Diffに対応する温度特性補正レーザパワーシフト量を算出する（ステップＳ１４８）。この場合に、Pow_Diffと温度特性補正レーザパワーシフト量との関係は予め導出しておく。導出の方法は、実施の形態６の調整光記録システムで、調整の最初に取得するPow_Diff時のレーザパワーとPow_Diffが収束した時のレーザパワーから、例えば、実施の形態１で示した関係式算出手順を用いて導出しておく。そして、求めた温度特性補正レーザパワーシフト量は、図１１に示す処理において、ステップＳ１２３，Ｓ１３０でレーザパワーの測定値に加算される。ステップＳ１４８により値算出手段を実現している。
【０１２４】
このような処理を行うことにより、調整工数が少なく、個々のＬＤ１０１の温度特性にも対応した、適切なレーザパワー調整を行うことができる。
【０１２５】
なお、以上説明した各実施の形態において、パワーメータ２０１を光ディスクドライブ１００に設け、パーソナルコンピュータ３００で行うものとして説明したレーザパワーの調整処理をＣＰＵ１０３に実行させることで、光ディスクドライブ１００がレーザパワー調整装置２００を兼ねているような構成としてもよい。
【０１２６】
【発明の効果】
請求項１に記載の発明は、光源の光量と光出力の設定値との関係を自動で求めて、光記録媒体ドライブ装置に当該関係式のデータを設定して、光源の出力レベルを適切に調整できるので、作業効率が高く、また、様々な光出力の設定を適切に行うことができる。又、光源の光出力をモニタして当該光源の光出力に補正をかける場合でも、適切に光源の光出力を調整することができる。
【０１２７】
請求項２に記載の発明は、請求項１に記載の光量調整装置において、光源の特性を関係式で更に的確に表わすことができ、光源の出力レベルを適切に設定することができる。
【０１２８】
請求項３に記載の発明は、請求項１又は２に記載の発明と同様の作用、効果を奏する。
【０１３０】
請求項４に記載の発明は、請求項３に記載の光記録システムにおいて、様々な光記録媒体ドライブ装置に対して回路上のオフセットを除去した適切な光源の光出力の調整を行うことができる。
【０１３１】
請求項５に記載の発明は、請求項３又は４に記載の光記録システムにおいて、光源の光出力の設定値の異常を検出して、発光を遮断又は抑制するので、光源の破壊を防止することができる。
【０１３２】
請求項６に記載の発明は、請求項３〜５のいずれかの一に記載の光記録システムにおいて、光源の温度特性に対応した光出力調整を行うことができる。
【０１３３】
請求項７に記載の発明は、請求項６に記載の光記録システムにおいて、光源の光量の測定値における異常、外部温度の異常等を検出でき、光源の温度特性にも対応した光源の光出力調整を行うことができる。
【０１３４】
請求項８に記載の発明は、請求項３〜５に記載の光記録システムにおいて、光源の温度特性に対応しつつ、光源の光出力調整の調整工数を低減することができる。
【０１３５】
請求項９に記載の発明は、請求項３〜５に記載の光記録システムにおいて、個々の装置における光源の温度特性にも対応した光源の光出力調整を行うことができる。
【図面の簡単な説明】
【図１】発明の実施の形態１である光記録システムの構成を示すブロック図である。
【図２】前記光記録システムのレーザパワー調整装置が行う処理のフローチャートである。
【図３】同フローチャートである。
【図４】発明の実施の形態２である光記録システムの構成を示すブロック図である。
【図５】前記光記録システムのレーザパワー調整装置が行う処理のフローチャートである。
【図６】発明の実施の形態２である光記録システムの構成を示すブロック図である。
【図７】発明の実施の形態３である光記録システムのレーザパワー調整装置が行う処理のフローチャートである。
【図８】前記光記録システムの構成を示すブロック図である。
【図９】発明の実施の形態４である光記録システムのレーザパワー調整装置が行う処理のフローチャートである。
【図１０】発明の実施の形態５である光記録システムのレーザパワー調整装置が行う処理のフローチャートである。
【図１１】発明の実施の形態６である光記録システムのレーザパワー調整装置が行う処理のフローチャートである。
【図１２】発明の実施の形態７である光記録システムのレーザパワー調整装置が行う処理のフローチャートである。
【符号の説明】
１００  光記録媒体ドライブ装置
１０１  光源
１０８  受光素子
１１９  安全保持手段
２００  光量調整装置
２０１  光量検出センサ
【図１】
0004308457.tif 000002
【図２】
0004308457.tif 000003
【図３】
0004308457.tif 000004
【図４】
0004308457.tif 000005
【図５】
0004308457.tif 000006
【図６】
0004308457.tif 000007
【図７】
0004308457.tif 000008
【図８】
0004308457.tif 000009
【図９】
0004308457.tif 000010
【図１０】
0004308457.tif 000011
【図１１】
0004308457.tif 000012
【図１２】
0004308457.tif 000013